(57)【要約】【課題】安定した状態で自立し、密封性を確実に確保できるスタンディングカートンを提供する。【解決手段】周壁の各面を形成する側板１，２の下端に底板４，５が折目線９を介して連設され、側板１，２から折目線９に沿って折り曲げられた底板４，５により底面が閉止され、底面を下にして起立させるスタンディングカートンにおいて、底面の底板４，５のうち、少なくとも最外面となる底板４の付根の折目線９に、折曲抵抗を軽減する切目が入れられ、底板４に、付根の折目線９寄りから先端寄りまで閉領域をなすように幅をもって押圧による凹部１２が形成されているものとする。凹部１２により底面が平坦となり、底側に隙間ができることもない。【選択図】図２
0003209728.tif 000002
【実用新案登録請求の範囲】
【請求項１】
周壁の各面を形成する側板(1,2)の下端に底板(4,5)が折目線(9)を介して連設され、側板(1,2)から折目線(9)に沿って折り曲げられた底板(4,5)により底面が閉止され、底面を下にして起立させるスタンディングカートンにおいて、
前記底面の底板(4,5)のうち、少なくとも最外面となる底板(4)の付根の折目線(9)に、折曲抵抗を軽減する切目が入れられ、前記底板(4)に、付根の折目線(9)寄りから先端寄りまで閉領域をなすように幅をもって押圧による凹部(12)が形成されていることを特徴とするスタンディングカートン。
【請求項２】
前記凹部(12)は、閉領域の輪郭をなすように入れられた押罫線であることを特徴とする請求項１に記載のスタンディングカートン。
【請求項３】
前記凹部(12)は、閉領域の輪郭の内部が全体的に窪んだ凹面であることを特徴とする請求項１に記載のスタンディングカートン。
【請求項４】
前記凹部(12)は、閉領域の輪郭をなすように入れられた押罫線(12a)と、その内部が全体的に窪んだ凹面(12b)の組み合わせから成ることを特徴とする請求項１に記載のスタンディングカートン。
【請求項５】
前記凹部(12)は、周壁の縦方向の稜部を挟んで隣り合う各一対の側板(1,2)に連設された底板(4,5)のそれぞれに形成されていることを特徴とする請求項１乃至４のいずれか１項に記載のスタンディングカートン。
【考案の詳細な説明】
【技術分野】
【０００１】
この考案は、底板を閉じた状態で自立するスタンディングカートンに関する。
【背景技術】
【０００２】
医薬品や化粧品、菓子等の包装に使用される板紙製のスタンディングカートンとして、本出願人は、下記特許文献１において、図１１に示すようなものを提案している。
【０００３】
このカートンは、周壁の前面及び後面が一対の側板５１から形成され、両側面が一対の側板５２から形成されている。一方の側板５１の下端には大きな底板５３及びその先端から延びる差込片５３ａが順次連設され、両側の側板５２の下端には小さな底板５４が連設されている。また、一方の側板５１の上端には大きな蓋板５５及びその先端から延びる差込片５５ａが順次連設され、側板５２の上端には小さな蓋板５６が連設されている。
【０００４】
また、他方の側板５１の下端が下方へ延長されて、幅が広い脚片５７ａが形成され、一方の側板５１寄りの底側の稜部において、一対の側板５２から底板５４への切込により、下方へ突出する２個の小さな脚片５７ｂが形成されている。
【０００５】
そして、組み立てに際し、両側の底板５４は内側へ折り曲げられ、これに底板５３が折り重ねられると共に、差込片５３ａが他方の側板５１と底板５４の間に差し込まれて、底面が閉止状態に維持される。
【０００６】
また、商品収納後、両側の蓋板５６が内側へ折り曲げられ、これに蓋板５５が折り重ねられると共に、差込片５５ａが他方の側板５１と蓋板５６の間に差し込まれて、天面が閉止状態に維持される。
【０００７】
このようなスタンディングカートンでは、組立状態において、底板５３が側板５１からの折曲抵抗により反り出すように湾曲する傾向があるものの、店頭での陳列等に際し、底板５３を下にして棚や台等の載置面に置いたとき、底板５３が載置面に接触せず、脚片５７ａ，５７ｂだけが載置面に接地するので、カートンは安定した状態で自立する。
【先行技術文献】
【特許文献】
【０００８】
【特許文献１】特開平１１−２９２０５２号公報
【考案の概要】
【考案が解決しようとする課題】
【０００９】
しかしながら、上記のようなスタンディングカートンでは、底側の稜部で底板５４が切り込まれて脚片５７ｂが形成されているため、商品包装時の組み立ての精度によっては、密封性が若干低下する懸念がある。
【００１０】
そこで、この考案は、安定した状態で自立し、密封性を確実に確保できるスタンディングカートンを提供することを課題とする。
【課題を解決するための手段】
【００１１】
上記のような課題を解決するため、この考案は、周壁の各面を形成する側板の下端に底板が折目線を介して連設され、側板から折目線に沿って折り曲げられた底板により底面が閉止され、底面を下にして起立させるスタンディングカートンにおいて、前記底面の底板のうち、少なくとも最外面となる底板の付根の折目線に、折曲抵抗を軽減する切目が入れられ、前記底板に、付根の折目線寄りから先端寄りまで閉領域をなすように幅をもって押圧による凹部が形成されているものとしたのである。
【００１２】
前記凹部は、閉領域の輪郭をなすように入れられた押罫線又は閉領域の輪郭の内部が全体的に窪んだ凹面とすればよく、これらの組み合わせとしてもよい。
【００１３】
また、前記凹部は、載置面に接触する底板だけでなく、周壁の縦方向の稜部を挟んで隣り合う各一対の側板に連設された底板のそれぞれに形成してもよい。
【考案の効果】
【００１４】
この考案に係るスタンディングカートンでは、底面の底板に、付根の折目線寄りから先端寄りまで閉領域をなすように幅をもって押圧による凹部が形成されているので、組立状態において、底板が湾曲せず、平坦な底面が形成され、店頭での陳列等に際し、底板を下にして棚等の載置面に置いたとき、カートンは安定した状態で自立する。
【００１５】
また、底側の稜部に切込による隙間ができることもなく、優れた密封性を得ることができ、カートン内への塵埃の侵入を防止できる。
【図面の簡単な説明】
【００１６】
【図１】この考案の第１実施形態に係るスタンディングカートンのブランクを示す図
【図２】同上の組立封緘状態を示す斜視図
【図３】同上の開封状態を示す斜視図
【図４】同上の凹部がそれぞれ（Ｉ）押罫線、（II）凹面、（III）押罫線と凹面の組み合わせから成る底板の部分断面図
【図５】この考案の第２実施形態に係るスタンディングカートンのブランクを示す図
【図６】同上の組立封緘状態を示す斜視図
【図７】この考案の第３実施形態に係るスタンディングカートンのブランクを示す図
【図８】同上の組立封緘状態を示す斜視図
【図９】この考案の第４実施形態に係るスタンディングカートンのブランクを示す図
【図１０】同上の組立封緘状態を示す斜視図
【図１１】特許文献１に記載のスタンディングカートンの組立封緘状態を示す斜視図
【考案を実施するための形態】
【００１７】
以下、この考案の実施形態を添付図面に基づいて説明する。
【００１８】
このスタンディングカートンは、図１に示すような板紙製のブランクから組み立てられるものである。このブランクでは、周壁の前後面となる幅が広い一対の側板１と、両側面となる幅が狭い一対の側板２とが交互に連設され、後面となる側板１の外側端に継代片３が連設されている。
【００１９】
一対の側板１の下端には大きな底板４が連設され、一対の側板２の下端には小さな底板５が連設されている。
【００２０】
また、前面となる側板１の上端には大きな蓋板６が連設され、後面となる側板１の上端には大きな蓋板７及びその先端から延びる差込片７ａが順次連設されている。一対の側板２の上端には小さな蓋板８が連設されている。
【００２１】
差込片７ａの両端基部には、後述のように天面を閉じたとき蓋板８の前側基部に噛み合う切込が入れられている。
【００２２】
上記各部分の境界となる折目線は、板紙を表面から押圧した押罫線とされているが、底板４，５の付根の折目線９は、折曲抵抗を軽減するため、押罫線に切目を断続して入れたものとされている。
【００２３】
同様に、蓋板６，７，８の付根の折目線１０もまた、押罫線に切目を断続して入れたものとされている。
【００２４】
折目線９，１０において、各々の切目の長さは折目線９の方が折目線１０よりも長くなっており、切目間の繋部の数は折目線９の方が折目線１０よりも少なくなっている。これにより、底板４，５の折曲抵抗は、蓋板６，７，８の折曲抵抗よりも小さくなっている。
【００２５】
各一対の側板１，２の下端と上端の折目線９，１０は、それぞれ後述の組立時における底板４，５及び蓋板６，７，８の折曲順序を考慮して、用紙の厚さ分だけ高さ方向にずらされている。
【００２６】
また、蓋板６が繋がる側板１の上端部には、折目線１０の中間部から下方へ弧状に切目が断続して入れられ、その内側が半円状の押込部１１とされている。
【００２７】
そして、各一対の側板１，２から延びる底板４，５には、それぞれ付根の折目線９寄りから先端寄りまで両側近傍間にわたる幅をもって四角形状の閉領域の輪郭をなすように、押罫線による凹部１２が形成されている(図４（Ｉ）参照)。
【００２８】
なお、底板４，５の凹部１２は、図４（II）に示すように、閉領域の輪郭の内部が全体的に窪んだ凹面としてもよい。また、図４（III）に示すように、閉領域の輪郭をなすように入れられた押罫線１２ａと、その内部が全体的に窪んだ凹面１２ｂの組み合わせから成るものとしてもよい。
【００２９】
このブランクの組み立てに際しては、図２に示すように、両側の底板５を内側へ折り曲げ、これに後面の側板１から延びる底板４と前面の側板１から延びる底板４とを順次折り重ねて貼り合わせることにより、底面を閉止する。
【００３０】
次に、商品収納後、両側の蓋板８を内側へ折り曲げ、これに重ねるように後面の側板１から延びる蓋板７を折り曲げると共に、差込片７ａを前面の側板１と蓋板８の間に差し込み、前面の側板１から延びる蓋板６を蓋板７に折り重ねて貼り合わせることにより、天面を閉止する。このとき、差込片７ａの両端基部の切込が蓋板８の前側基部に噛み合って、封緘状態が維持される。
【００３１】
上記のようなスタンディングカートンでは、底板４，５に付根の折目線９寄りから先端寄りまで閉領域をなすように幅をもって押圧による凹部１２が形成されているので、組立状態において底板４，５が湾曲せず、平坦な底面が形成され、店頭での陳列等に際し、底板４，５を下にして棚等の載置面に置いたとき、カートンは安定した状態で自立する。
【００３２】
また、底側の稜部に切込による隙間ができることもなく、優れた密封性を得ることができ、カートン内への塵埃の侵入を防止できる。
【００３３】
このように封緘したスタンディングカートンを開封する際には、図３に示すように、押込部１１を押し込んでその切目から蓋板６の付根に沿った折目線１０を切断し、蓋板６，７を貼り合わされた状態のまま開いて、差込片７ａを蓋板８と前面の側板１の間から引き抜き、両側の蓋板８を開いて、天面を開口させ、その開口部から商品を取り出す。
【００３４】
また、このスタンディングカートンは、開封後、両側の蓋板８を閉じ、貼り合わされた状態の蓋板６，７を蓋板８に折り重ねると共に、差込片７ａを前面の側板１と蓋板８の間に差し込むことにより、再封緘することができる。
【００３５】
ところで、上記第１実施形態では、差込片７ａの差し込み及び蓋板６，７の貼り合わせにより封緘するものを例示したが、図５及び図６に示す第２実施形態のように、前面の側板１と後面の側板１の上端にそれぞれ差込片のない蓋板６を連設し、これらの蓋板６同士を貼り合わせるだけで、封緘するものとしてもよい。
【００３６】
また、図７及び図８に示す第３実施形態のように、後面の側板１の上端に蓋板７及び差込片７ａを順次連設し、前面の側板１の上端には何も連設せず、差込片７ａを前面の側板１と蓋板８の間に差し込むことのみによって、封緘するものとしてもよい。なお、この場合、封緘の確実性を高めるため、差込片７ａと前面の側板１を部分的に貼り合わせたり、前面の側板１の上部から蓋板７へかけて、テープを貼り付けるようにするのが望ましい。
【００３７】
このように、カートンの天面においては、様々な閉止構造が採用できる。
【００３８】
また、カートンの底面の閉止構造は、図９及び図１０に示す第４実施形態のように、一方の側板１の下端に連設された底板４の先端から延びる差込片４ａを、他方の側板１と両側の底板５の間に差し込み、差込片４ａの両端基部の切込と底板５とを噛み合わせて、閉止状態を維持するものとしてもよい。
【００３９】
なお、上記各実施形態において、自立性を高めるための凹部１２は、少なくとも組立状態で最外面となる底板４に形成する必要があるが、第４実施形態に図示したように、両側の底板５への形成を省略してもよく、第１乃至第３実施形態に示したような底面の閉止構造のカートンにおいては、他の底板４への形成を省略してもよい。
【００４０】
さらに、折目線９の切目もまた、少なくとも組立状態で最外面となる底板４の付根の折目線９に入れておけば、他の折目線９に切目を入れなくてもよい。
【００４１】
そのほか、折目線１０の切目もまた、封緘に際して蓋板６，７，８が容易に折り曲げられるものであれば、省略してもよい。
【符号の説明】
【００４２】
１，２  側板
３  継代片
４，５  底板
４ａ  差込片
６，７，８  蓋板
７ａ  差込片
９，１０  折目線
１１  押込部
１２  凹部
１２ａ  押罫線
１２ｂ  凹面
【図１】
0003209728.tif 000003
【図２】
0003209728.tif 000004
【図３】
0003209728.tif 000005
【図４】
0003209728.tif 000006
【図５】
0003209728.tif 000007
【図６】
0003209728.tif 000008
【図７】
0003209728.tif 000009
【図８】
0003209728.tif 000010
【図９】
0003209728.tif 000011
【図１０】
0003209728.tif 000012
【図１１】
0003209728.tif 000013